(57)【要約】【課題】  トノカバー装置において、バックドアの開閉時に車体後面開口部の周縁部と干渉することなくスムーズに開閉可能にすること、バックドアを閉めたときに荷室内の荷物を確実に覆うことができること。【解決手段】  トノカバー装置は、トノカバー部材１２のカバー本体部分１３が、前後方向への引っ張りによりその前後方向中間部の幅が車幅方向に縮減する生地で構成され、バックドア３が閉状態のとき、トノカバー部材１２が水平展張され且つカバー本体部分１３の車幅方向寸法が車体後面開口部２の上部の車幅方向寸法より長くなるように構成され、バックドア３が開状態のとき、カバー本体部分１３が前後方向に引っ張られてその前後方向中間部の幅が車幅方向に縮減してそのカバー本体部分１３が車体後面開口部２の後部ピラー７と干渉しないように構成された。【選択図】  図２
2007196939.tif 000002
【特許請求の範囲】
【請求項１】
車体後部の荷室と、下辺よりも上辺の短い台形状の車体後面開口部と、この車体後面開口部の上端近傍部に軸支されたバックドアとを有する車両に装備されるトノカバー装置において、
前端部がシートバックの後側近傍位置に支持され且つ後端部がバックドアの内面部に連結されたトノカバー部材を備え、
前記トノカバー部材の少なくとも前側部分であるカバー本体部分は、前後方向への引っ張りによりその前後方向中間部の幅が車幅方向に縮減する生地で構成され、
前記バックドアが閉状態のとき、トノカバー部材が水平展張され且つ前記カバー本体部分の車幅方向寸法が前記車体後面開口部の上部の車幅方向寸法より長くなるように構成され、バックドアが開状態のとき、前記カバー本体部分が前後方向に引っ張られてその前後方向中間部の幅が車幅方向に縮減してそのカバー本体部分が車体後面開口部の周縁部と干渉しないように構成された、
ことを特徴とするトノカバー装置。
【請求項２】
前記カバー本体部分は、平面視にて車幅方向にウェビング糸が周期的に蛇行して形成される多数のループからなるループ列を多数行含み且つ前後方向に隣接するループ列の多数のループ同士が相互に交絡した構造の生地であって、前後方向の引っ張りにより車幅方向に縮減する生地で構成されたことを特徴とする請求項１に記載のトノカバー装置。
【請求項３】
前記トノカバー部材の前端部の車幅方向寸法が、バックドアの内面部に取付けられる後端部の車幅方向寸法より長くなるように構成されたことを特徴とする請求項１又は２に記載のトノカバー装置。
【請求項４】
前記トノカバー部材は、カバー本体部分の後端に連結されたボード部材を有することを特徴とする請求項１〜３の何れかに記載のトノカバー装置。
【発明の詳細な説明】
【技術分野】
【０００１】
本発明は、トノカバー装置に関し、特にトノカバー部材が前後方向に引っ張られたときにその前側部分のカバー本体部分における前後方向中間部の幅を車幅方向に縮減可能にしたものに関する。
【背景技術】
【０００２】
従来のトノカバー装置においては、バックドアの開閉操作に連動してトノカバー部材が開閉するように構成され、バックドアを開放したときにトノカバー部材を上方に移動させて荷室内に対する荷物の出し入れを行えるようになっている。
【０００３】
特許文献１には、前端と後端が略同じ車幅方向寸法に構成され且つ展張可能なカバー部材の後端部を端板に固定し、この端板を介してバックドアにカバー部材を取付けて、バックドアの開閉操作に連動してカバー装置が開閉するように構成されたものが開示されている。
【０００４】
特許文献１の構成においては、バックドアを開いたとき、端板を介してカバー部材を後端から引き上げて荷室の上方を開放させることで、荷室に対する荷物の出し入れを行えるようにし、一方、バックドアを閉めたときには、カバー部材を引き下げて荷室内の荷物を覆うようになっている。
【特許文献１】特開昭６２−１０５７３６号公報
【発明の開示】
【発明が解決しようとする課題】
【０００５】
ところで、バックドアを閉めたときに、荷室内の荷物を確実に覆うためカバー部材の車幅方向寸法を車体後面開口部の下部と略同じ寸法にする必要があるが、車体後面開口部が下辺よりも上辺の短い台形状に構成された自動車に特許文献１の構成を適用した場合、バックドアを開いたときにカバー部材が車体後面開口部の周縁部と干渉し、カバー装置の開閉をスムーズに行うことができないうえ、端板とバックドアとの連結部やカバー部材に対して干渉時の荷重が作用しこれらの部材が破損する虞がある。そのため、カバー部材が車体後面開口部の周縁部と干渉しないようにカバー部材の車幅方向寸法を車体後面開口部の上部よりも短くする必要があるが、この場合、カバー部材の車幅方向寸法が車体後面開口部の下部よりもかなり短くなってしまうため、バックドアを閉めたときに荷室内の荷物をカバー部材で十分に覆うことができないという問題がある。
【０００６】
本発明の目的は、トノカバー装置において、バックドアの開閉時に車体後面開口部の周縁部と干渉することなくスムーズに開閉可能にすること、バックドアを閉めたときに荷室内の荷物を確実に覆うことができること、等である。
【課題を解決するための手段】
【０００７】
請求項１のトノカバー装置は、車体後部の荷室と、下辺よりも上辺の短い台形状の車体後面開口部と、この車体後面開口部の上端近傍部に軸支されたバックドアとを有する車両に装備されるトノカバー装置において、前端部がシートバックの後側近傍位置に支持され且つ後端部がバックドアの内面部に連結されたトノカバー部材を備え、前記トノカバー部材の少なくとも前側部分であるカバー本体部分は、前後方向への引っ張りによりその前後方向中間部の幅が車幅方向に縮減する生地で構成され、前記バックドアが閉状態のとき、トノカバー部材が水平展張され且つ前記カバー本体部分の車幅方向寸法が前記車体後面開口部の上部の車幅方向寸法より長くなるように構成され、バックドアが開状態のとき、前記カバー本体部分が前後方向に引っ張られてその前後方向中間部の幅が車幅方向に縮減してそのカバー本体部分が車体後面開口部の周縁部と干渉しないように構成されたことを特徴とする。
【０００８】
このトノカバー装置においては、バックドアの開状態のとき、カバー本体部分が前後方向に引っ張られてその前後方向中間部の幅が車幅方向に縮減し、カバー本体部分が車体後面開口部の周縁部と干渉しないので、トノカバー装置の開閉をスムーズに行うことができる。また、バックドアが閉状態のとき、トノカバー部材が水平展張され且つカバー本体部分の車幅方向寸法が車体後面開口部の上部の車幅方向寸法より長くなるので、荷室内の荷物をトノカバー部材で確実に覆うことができる。
【０００９】
請求項２のトノカバー装置は、請求項１の発明において、前記カバー本体部分は、平面視にて車幅方向にウェビング糸が周期的に蛇行して形成される多数のループからなるループ列を多数行含み且つ前後方向に隣接するループ列の多数のループ同士が相互に交絡した構造の生地であって、前後方向の引っ張りにより車幅方向に縮減する生地で構成されたことを特徴とする。
【００１０】
請求項３のトノカバー装置は、請求項１又は２の発明において、前記トノカバー部材の前端部の車幅方向寸法が、バックドアの内面部に取付けられる後端部の車幅方向寸法より長くなるように構成されたことを特徴とする。
【００１１】
請求項４のトノカバー装置は、請求項１〜３の何れかの発明において、前記トノカバー部材は、カバー本体部分の後端に連結されたボード部材を有することを特徴とする。
【発明の効果】
【００１２】
請求項１の発明によれば、バックドアが開状態のとき、カバー本体部分が前後方向に引っ張られてその前後方向中間部の幅が車幅方向に縮減してそのカバー本体部分が車体後面開口部の周縁部と干渉しないように構成されたので、バックドアの開閉時に、カバー本体部分が車体後面開口部の周縁部と干渉することなく、トノカバー装置の開閉をスムーズに行うことができる。しかも、このときにカバー本体部分が車体後面開口部の周縁部と干渉しないので、トノカバー装置が破損するのを防止できる。
【００１３】
また、バックドアが閉状態のとき、トノカバー部材が水平展張され且つカバー本体部分の車幅方向寸法が車体後面開口部の上部の車幅方向寸法より長くなるように構成されたので、カバー本体部分の車幅方向寸法を車体後面開口部の下部の車幅方向寸法と略同じ長さにすることができ、バックドアを閉めたときに荷室内の荷物を確実に覆うことができる。
【００１４】
請求項２の発明によれば、カバー本体部分は、平面視にて車幅方向にウェビング糸が周期的に蛇行して形成される多数のループからなるループ列を多数行含み且つ前後方向に隣接するループ列の多数のループ同士が相互に交絡した構造の生地であって、前後方向の引っ張りにより車幅方向に縮減する生地で構成されたので、この生地を利用することで請求項１の効果を有するトノカバー装置を簡単な構成で実現することができる。
【００１５】
請求項３の発明によれば、トノカバー部材の前端部の車幅方向寸法が、バックドアの内面部に取付けられる後端部の車幅方向寸法より長くなるように構成されたので、トノカバー部材の形状を荷室形状に適合させることができ、バックドアを閉めたときに荷室内の荷物を確実に覆うことができる。
【００１６】
請求項４の発明によれば、トノカバー部材は、カバー本体部分の後端に連結されたボード部材を有するので、トノカバー部材の後側部分の強度を高めることができる。そのため、バックドアにボード部材を介してトノカバー部材を連結し、バックドアによりトノカバー部材が前後方向に引っ張られた場合に、トノカバー部材に対して十分な強度を確保することができる。
【発明を実施するための最良の形態】
【００１７】
本発明のトノカバー装置は、前端部がシートバックの後側近傍位置に支持され且つ後端部がバックドアの内面部に連結されたトノカバー部材を備え、トノカバー部材の前側部分のカバー本体部分が、前後方向への引っ張りによりその前後方向中間部の幅が車幅方向に縮減する生地で構成され、バックドアが閉状態のとき、トノカバー部材が水平展張され且つカバー本体部分の車幅方向寸法が車体後面開口部の上部の車幅方向寸法より長くなるように構成され、バックドアが開状態のとき、カバー本体部分が前後方向に引っ張られてその前後方向中間部の幅が車幅方向に縮減してそのカバー本体部分が車体後面開口部の周縁部と干渉しないように構成されたものである。
【実施例】
【００１８】
以下、本発明の実施例について図面に基づいて説明する。
本実施例は、後部シートのシートバックの後側に荷室が設けられたハッチバック型，バン型，ワゴン型等の自動車において、荷室内に収納される荷物を覆うトノカバー装置に、本発明を適用した場合の例である。
【００１９】
図１、図２に示すように、自動車の後部には、下辺よりも上辺の短い台形状の車体後面開口部２と、車体後面開口部２における上端近傍部のヒンジ部１に軸支されたバックドア３と、車体後面開口部２の前方の荷室４と、荷室４の前側に装備された後部シート５と、後部シート５のシートバック６の後側に装備されたトノカバー装置１０などが設けられている。尚、図１において符号Ｓは、車体後面開口部２の周縁に沿って設置されるシール部材の設置ラインを示している。
【００２０】
次に、トノカバー装置１０について、図１〜図３に基づいて説明する。
トノカバー装置１０は、シートバック６の上端部の後側近傍位置に設けられた収容ケース１１と、前端部がシートバック６の後側近傍位置に支持され且つ後端部がバックドア３の内面部に連結されたトノカバー部材１２などを有する。収容ケース１１内には、トノカバー部材１２の前側部分のカバー本体部分１３を巻取る方向に付勢する巻取り機構が配設され、巻取り機構にトノカバー部材１２の前端部が回動可能に軸支されている。この巻取り機構の付勢力によりカバー本体部分１３に付与された張力によって、カバー本体部分１３が前後方向に展張される。
【００２１】
トノカバー部材１２は、伸縮性を有する生地で構成されたカバー本体部分１３と、カバー本体部分１３の後端に連結された合成樹脂製のボード部材１５などを有し、トノカバー部材１２の前端部の車幅方向寸法が、トノカバー部材１２の後端部であって、バックドア３の内面部に取付けられる後端部の車幅方向寸法より長くなるように構成されている。
カバー本体部分１３は、図４−１に示すように、平面視にて車幅方向にウェビング糸１４が周期的に蛇行して形成される多数のループからなるループ列を多数行含み且つ前後方向に隣接するループ列の多数のループ同士が相互に交絡した構造の生地で構成され、カバー本体部分１３が前後方向に引っ張られたとき、図４−２に示すように、前後方向に伸長し且つ車幅方向に縮減するようになっている。
【００２２】
トノカバー部材１２が下降位置にあって、トノカバー部材１２が水平展張された状態では、図２と図３において実線で示すように、カバー本体部分１３の前部の車幅方向寸法が車体後面開口部２の下部の車幅方向寸法と略同じ長さになるように構成され、カバー本体部分１３の後部は後方へいく程僅かに狭くした形状に構成されている。カバー本体部分１３の後部には、車幅方向に延びる棒部材１８を介して円弧状のボード部材１５が連結されている。ボード部材１５において左右両端部分の下面には、取付片１６を介してフック部材１７が夫々設けられ、バックドア３において左右両端部分の中段部に設けた連結部８にフック部材１７が夫々連結され、バックドア３の開閉に応じてトノカバー部材１２が上下動するように連係されている。
【００２３】
バックドア３が開かれ、トノカバー部材１２が上昇位置に移動したとき、図２と図３において２点鎖線で示すように、カバー本体部分１３の後端部が後方且つ後方に引っ張られて、カバー本体部分１３が前後方向に伸長すると共に、その前後方向中間部の幅が車幅方向に縮減するので、カバー本体部分１３の前後方向中間部の幅が車体後面開口部２の上部の幅よりも短くなる。そのため、バックドア３を開じたときに、カバー本体部分１３が車体後面開口部２の周縁部の後部ピラー７と干渉しない。
【００２４】
次に、トノカバー装置１０の作用、効果について説明する。
バックドア３を開くとき、トノカバー部材１２の後端部が後方へ斜めに上昇することで、カバー本体部分１３の後端部が後方且つ上方に引っ張られて、図２、図３において２点鎖線で示すように、カバー本体部分１３が前後方向に伸長すると共に、その前後方向中間部の幅が車幅方向に縮減し、トノカバー部材１２が上昇位置に到達したとき、荷室４の上方に開口が開放される。バックドアを閉じるとき、トノカバー部材１２が下降位置に移動し、図２、図３において実線で示すように、カバー本体部分１３の前後方向への伸長と前後方向中間部の幅の車幅方向への縮減が解消され、トノカバー部材１２が水平展張されるので、カバー本体部分１３の車幅方向寸法が車体後面開口部２の下部の車幅方向寸法と略同じ長さになり、荷室４の上方の開口が覆われる。
【００２５】
このように、バックドア３が開状態のとき、カバー本体部分１３が後方に引っ張られてその前後方向中間部の幅が車幅方向に縮減してカバー本体部分１３が車体後面開口部２の周縁部の後部ピラー７と干渉しないように構成されたので、バックドア３の開閉時に、カバー本体部分１３が後部ピラー７に干渉することなく、トノカバー装置１０の開閉をスムーズに行うことができる。しかも、このときにカバー本体部分１３が後部ピラー７と干渉しないので、トノカバー装置１０が破損するのを防止できる。
【００２６】
バックドア３が閉状態のとき、トノカバー部材１２が水平展張され且つカバー本体部分１３の車幅方向寸法が車体後面開口部２の上部の車幅方向寸法より長くなるように構成されたので、カバー本体部分１３の車幅方向寸法を車体後面開口部２の下部の車幅方向寸法と略同じ長さにすることができ、バックドア３を閉めたときに荷室４内の荷物を確実に覆うことができる。
【００２７】
カバー本体部分１３は、平面視にて車幅方向にウェビング糸１４が周期的に蛇行して形成される多数のループからなるループ列を多数行含み且つ前後方向に隣接するループ列の多数のループ同士が相互に交絡した構造の生地であって、前後方向の引っ張りにより車幅方向に縮減する生地で構成されたので、この生地を利用することでトノカバー装置１０を簡単な構成で実現することができる。
【００２８】
トノカバー部材１２の前端部の車幅方向寸法が、バックドア３の内面部に取付けられる後端部の車幅方向寸法より長くなるように構成されたので、トノカバー部材１２の形状を荷室形状に適合させることができ、バックドア３を閉めたときに荷室４内の荷物を確実に覆うことができる。トノカバー部材１２は、カバー本体部分１３の後端に連結されたボード部材１５を有するので、トノカバー部材１２の後側部分の強度を高めることができる。そのため、バックドア３にトノカバー部材１２を連結する為のフック部材１７をボード部材１５に取付けることができ、バックドア３を開いたときにトノカバー部材１２の後端部が後方に引っ張られた場合にも、トノカバー部材１２に対して十分な強度を確保することができる。
【００２９】
次に、前記実施例を部分的に変更した変更例について説明する。
１］上記実施例において、収容ケース１１内に巻取り機構を設ける代わりに、シートバック６の上端部の後側近傍位置に軸支部を設け、軸支部にトノカバー部材１２の前端部が回動可能、且つカバー本体部分１３が展張するように軸支してもよい。
２〕その他、当業者であれば、本発明の趣旨を逸脱することなく、前記実施例に種々の変更を付加した形態で実施可能で、本発明はそのような変更形態も包含するものである。
【図面の簡単な説明】
【００３０】
【図１】本発明の実施例に係る自動車の車体後部の斜視図である。
【図２】自動車の車体後部の側面図である。
【図３】自動車の車体後部の平面図である。
【図４−１】カバー本体部分（通常状態）の要部拡大平面図である。
【図４−２】カバー本体部分（前後方向への引っ張り状態）の要部拡大平面図である。
【符号の説明】
【００３１】
２        車体後面開口部
３        バックドア
４        荷室
７        後部ピラー
１０      トノカバー装置
１２      トノカバー部材
１３      カバー本体部分
１４      ウェビング糸
１５      ボード部材
【図１】
2007196939.tif 000003
【図２】
2007196939.tif 000004
【図３】
2007196939.tif 000005
【図４−１】
2007196939.tif 000006
【図４−２】
2007196939.tif 000007